(57)【要約】【課題】情報表示端末で、外部の通信機器との無線連携モードに強制的に移行されることなく、通信機器から送信された内容に関する情報を確実に辞書で検索して表示させる。【解決手段】通信機器３０にて指定表示ｈされた指定テキスト部分が辞書端末１０に受信された際、辞書端末１０が電源ＯＦＦ又は別の作業中で非連携処理モードにある場合は、受信された指定テキスト部分のテキストデータは内蔵記憶部の通信機器連携用テキスト部分データエリアに一時記憶されて保存される。辞書端末１０において、連携処理キー１４ａの操作に応じて連携処理モードに移行されると、前記保存された指定テキスト部分が読み出されてテキスト転送検索画面Ｇｆに表示され、当該表示された前記指定テキスト部分のうち、自動であるいはユーザｕによって指定表示ｈされた１または複数の単語に対応する見出し語がユーザ選択中の辞書ｄｔ１から検索されてその説明情報ａｅが表示される。【選択図】      図１
2018049515.tif 000002
【特許請求の範囲】
【請求項１】
外部の通信機器において指定されたテキスト部分を受信するテキスト部分受信手段と、
前記通信機器と連携する連携モードにおいて、前記テキスト部分受信手段により受信されたテキスト部分に対応する見出し語を、見出し語と当該見出し語の説明情報とを複数組み対応付けた辞書データを記憶している辞書記憶手段から検索し、当該検索された見出し語の説明情報を表示部に表示させる受信対応検索表示制御手段と、
前記連携モードではない非連携モードにおいて、前記テキスト部分受信手段により受信されたテキスト部分を保存するテキスト部分保存手段と、
前記連携モードに移行した後に、前記テキスト部分保存手段により保存されたテキスト部分に対応する見出し語を前記辞書記憶手段から検索し、当該検索された見出し語の説明情報を前記表示部に表示させる保存対応検索表示制御手段と、
を備える情報表示端末。
【請求項２】
前記非連携モードは、当該情報表示端末の入力手段のユーザ操作に応じた辞書検索処理の実行状態又は学習機能処理の実行状態又は書籍表示処理の実行状態、又は前記表示部が開かれていない状態の、何れかの状態で設定されている、請求項１に記載の情報表示端末。
【請求項３】
前記情報表示端末の入力手段のユーザ操作に応じた辞書検索処理の実行状態又は学習機能処理の実行状態又は書籍表示処理の実行状態において、ユーザ操作に応じて、前記非連携モードを前記連携モードに切替する連携モード操作切替手段を備える、
請求項１又は請求項２に記載の情報表示端末。
【請求項４】
前記情報表示端末の表示がオフで開かれている状態で、前記外部の通信機器から受信した信号に応じて、前記連携モードに切替する連携モード受信切替手段を備える、
請求項１乃至請求項３の何れか１項に記載の情報表示端末。
【請求項５】
前記受信されたテキスト部分と前記検索された見出し語とを対応付けて登録するテキスト部分登録手段と、
前記テキスト部分登録手段により登録された前記テキスト部分と前記検索された見出し語とをユーザ操作に応じて前記表示部に表示させる登録テキスト部分表示制御手段と、
を備えた請求項１乃至請求項４の何れか１項に記載の情報表示端末。
【請求項６】
前記テキスト部分登録手段は、前記検索された見出し語にユーザ操作に応じて付加されるチェックマークを付けて登録するチェック付き見出し語登録手段を有し、
前記登録テキスト部分表示制御手段は、前記チェック付き見出し語登録手段によりチェックマーク付きで登録された見出し語を表示対象にするか否かを設定する表示対象設定手段を有し、前記テキスト部分登録手段により登録された前記テキスト部分と前記検索された見出し語とを前記表示対象設定手段による表示対象の設定に従って前記表示部に表示させる、
請求項５に記載の情報表示端末。
【請求項７】
前記テキスト部分受信手段は、前記外部の通信機器と通信接続された際に、当該通信機器において指定され保存されていたテキスト部分を受信する保存テキスト部分受信手段を有する、
請求項１乃至請求項６の何れか１項に記載の情報表示端末。
【請求項８】
外部の通信機器において指定されたテキスト部分を受信し、
前記通信機器と連携する連携モードにおいて、前記受信されたテキスト部分に対応する見出し語を、見出し語と当該見出し語の説明情報とを複数組み対応付けた辞書データを記憶している辞書記憶手段から検索し、当該検索された見出し語の説明情報を表示部に表示させ、
前記連携モードではない非連携モードにおいて、前記受信されたテキスト部分を保存し、
前記連携モードに移行した後に、前記保存されたテキスト部分に対応する見出し語を前記辞書記憶手段から検索し、当該検索された見出し語の説明情報を前記表示部に表示させる、情報表示方法。
【請求項９】
コンピュータを、
外部の通信機器において指定されたテキスト部分を受信するテキスト部分受信手段、
前記通信機器と連携する連携モードにおいて、前記テキスト部分受信手段により受信されたテキスト部分に対応する見出し語を、見出し語と当該見出し語の説明情報とを複数組み対応付けた辞書データを記憶している辞書記憶手段から検索し、当該検索された見出し語の説明情報を表示部に表示させる受信対応検索表示制御手段、
前記連携モードではない非連携モードにおいて、前記テキスト部分受信手段により受信されたテキスト部分を保存するテキスト部分保存手段、
前記連携モードに移行した後に、前記テキスト部分保存手段により保存されたテキスト部分に対応する見出し語を前記辞書記憶手段から検索し、当該検索された見出し語の説明情報を前記表示部に表示させる保存対応検索表示制御手段、
として機能させるためのコンピュータ読み込み可能なプログラム。
【発明の詳細な説明】
【技術分野】
【０００１】
本発明は、辞書の情報を表示する情報表示端末、情報表示方法、及びその制御プログラムに関する。
【背景技術】
【０００２】
一般に、単語などの言葉の意味や内容を調べる携帯型の電子機器として、電子辞書が利用されている。前記電子辞書は、英和辞書や国語辞書などの各種辞書の辞書データベースを有し、文字入力キーの操作により入力された単語に対応した前記辞書の見出し語を検索し、当該検索された見出し語（単語）に対応付けられた意味などの説明情報を表示させるものである。
【０００３】
一方、パーソナルコンピュータなどの情報通信機器の表示部に表示された英文のテキスト上で、ユーザ所望の単語を指定すると、当該指定の単語を赤外線通信により近くの電子辞書へ送信する。すると電子辞書は、前記情報通信機器と無線連携するモードになり、同電子辞書において前記情報通信機器から受信した前記指定の単語の説明情報を前記辞書データベースから検索して表示させることが考えられている（例えば、特許文献１参照。）。
【先行技術文献】
【特許文献】
【０００４】
【特許文献１】特許第４４９６５８１号公報
【発明の概要】
【発明が解決しようとする課題】
【０００５】
前記従来の電子辞書では、前記情報通信機器から指定の単語の送信信号が受信されると、強制的に当該通信機器と無線連携するモードになり、受信した指定の単語の説明情報を辞書データベースから検索する動作に移行する。このため、電子辞書のユーザが当該電子辞書にて別の作業を行なっている場合でも、その作業は中断されてしまう問題がある。
【０００６】
本発明は、このような課題に鑑みなされたもので、外部の通信機器と無線連携するモードに強制的に移行されてしまうことなく、当該通信機器から送信された内容に関する情報を確実に辞書で検索して表示させることが可能になる情報表示端末、情報表示方法、及びその制御プログラムを提供することを目的とする。
【課題を解決するための手段】
【０００７】
本発明に係る情報表示端末は、外部の通信機器において指定されたテキスト部分を受信するテキスト部分受信手段と、前記通信機器と連携する連携モードにおいて、前記テキスト部分受信手段により受信されたテキスト部分に対応する見出し語を、見出し語と当該見出し語の説明情報とを複数組み対応付けた辞書データを記憶している辞書記憶手段から検索し、当該検索された見出し語の説明情報を表示部に表示させる受信対応検索表示制御手段と、前記連携モードではない非連携モードにおいて、前記テキスト部分受信手段により受信されたテキスト部分を保存するテキスト部分保存手段と、前記連携モードに移行した後に、前記テキスト部分保存手段により保存されたテキスト部分に対応する見出し語を前記辞書記憶手段から検索し、当該検索された見出し語の説明情報を前記表示部に表示させる保存対応検索表示制御手段と、を備えている。
【発明の効果】
【０００８】
本発明によれば、外部の通信機器と無線連携するモードに強制的に移行されてしまうことなく、当該通信機器から送信された内容に関する情報を確実に辞書で検索して表示させることが可能になる。
【図面の簡単な説明】
【０００９】
【図１】本発明の実施形態に係る通信辞書システムの外観構成を示す図。
【図２】前記通信辞書システムにおける辞書端末１０の電子回路の構成を示すブロック図。
【図３】前記通信辞書システムにおける通信機器３０の電子回路の構成を示すブロック図。
【図４】前記通信機器３０による辞書端末連携処理を示すフローチャート。
【図５】前記辞書端末１０による前記通信機器３０との通信割込処理を示すフローチャート。
【図６】前記辞書端末１０による情報表示制御処理を示すフローチャート。
【図７】前記辞書端末１０の情報表示制御処理に伴う通信機器３０との連携処理（その１）を示すフローチャート。
【図８】前記辞書端末１０の情報表示制御処理に伴う通信機器３０との連携処理（その２）を示すフローチャート。
【図９】前記辞書端末１０の情報表示制御処理に伴う通信機器３０との連携処理（その３）を示すフローチャート。
【図１０】前記通信機器３０と辞書端末１０との連携処理に従った表示動作（その１）を示す図。
【図１１】前記通信機器３０と辞書端末１０との連携処理に従った表示動作（その２）を示す図。
【図１２】前記通信機器３０と辞書端末１０との連携処理に従った表示動作（その３）を示す図。
【図１３】前記通信機器３０と辞書端末１０との連携処理に従った表示動作（その４）を示す図。
【図１４】前記辞書端末１０が電源ＯＦＦで且つ表示部１５が閉じられた状態か又は非連携処理モードでの動作中に前記通信機器３０から指定テキスト部分を送信した場合の表示動作を示す図。
【図１５】前記辞書端末１０が非連携処理モードにおいて通信機器３０から転送された指定テキスト部分のテキストデータを保存していた場合の連携処理モードへの移行に応じた表示動作を示す図。
【図１６】前記辞書端末１０における前記通信機器３０からの指定テキスト部分を受信又は保存した後の連携処理に従った表示動作（その１）を示す図。
【図１７】前記辞書端末１０における前記通信機器３０からの指定テキスト部分を受信又は保存した後の連携処理に従った表示動作（その２）を示す図。
【図１８】前記辞書端末１０における前記通信機器３０からの指定テキスト部分を受信又は保存した後の連携処理に従った表示動作（その３）を示す図。
【図１９】前記辞書端末１０において前記通信機器３０からの指定テキスト部分をテキストフォルダに登録する場合の表示動作を示す図。
【図２０】前記辞書端末１０において前記テキストフォルダに登録した指定テキスト部分を見る場合の表示動作を示す図。
【図２１】前記辞書端末１０において前記テキストフォルダに登録した指定テキスト部分を一覧から指定して表示させた場合の表示例（その１）を示す図。
【図２２】前記辞書端末１０において前記テキストフォルダに登録した指定テキスト部分を一覧から指定して表示させた場合の表示例（その２）を示す図。
【発明を実施するための形態】
【００１０】
以下図面により本発明の実施の形態について説明する。
【００１１】
図１は、本発明の実施形態に係る通信辞書システムの外観構成を示す図である。
【００１２】
前記通信辞書システムは、辞書端末１０と、スマートフォンやタブレット端末などの通信機器３０とを組み合わせて構成される。前記辞書端末１０と通信機器３０の何れもBluetooth（登録商標）、Wi-Fi（登録商標）などの近距離無線通信機能を備える。
【００１３】
前記辞書端末１０は、本体ケース１１と蓋体ケース１２とをヒンジ１３を介して開閉可能にした本体構造を有する。前記本体ケース１１の表面には、ＯＮ（電源）キー、メニューキー、文字入力キー、辞書選択キー、訳／決定キー、連携処理キー１４ａなどを備えたキー入力部１４が設けられる。前記蓋体ケース１２には、その略全面に、バックライト付きのカラー液晶表示画面を有するタッチパネル付き表示部１５が設けられる。
【００１４】
前記連携処理キー１４ａは、前記通信機器３０と通信接続して連携して動作する連携処理モードに移行させるために操作される。なお、辞書端末１０では、文字入力キー（入力手段）のユーザ操作に応じた個別の辞書検索処理、辞書端末１０に備えられた学習コンテンツによる学習機能処理、内蔵又は外部から取得された書籍のテキストを表示する書籍表示処理等を備える。これらの各処理の実行状態では、連携処理モードではない非連携処理モードとなっており、通信機器３０からテキストが送信されても、現在の辞書検索処理等が中断されないようになっている。辞書検索処理中、学習機能処理、書籍表示処理中、等であっても、ユーザ操作により前記連携処理キー１４ａが押されると、連携モードに移行する。
【００１５】
前記通信機器３０には、その一面側の略全面に、バックライト付きのカラー液晶表示画面を有するタッチパネル付き表示部３１が設けられる。前記通信機器３０には、前記辞書端末１０との間で前記近距離無線通信機能により通信を確立して連携した処理を行なうための辞書端末連携処理アプリケーション３３ｂ（図３参照）が、例えばインターネット上に開設された前記辞書端末１０に関係する専用サイトからダウンロードされてインストールされる。
【００１６】
そして、前記通信機器３０は、ニュースや書籍などのユーザ所望のテキストデータを取得してテキスト画面Ｇｔとして表示する機能、当該テキスト画面Ｇｔに表示されたテキストのうちユーザｕが任意に指定した指定テキスト部分を反転等により指定表示ｈさせる機能、当該指定表示ｈされた指定テキスト部分のテキストデータをユーザｕによる［転送］キーＦの操作に応じて前記近距離無線通信Ｂｔにより前記辞書端末１０へ送信する機能などを有する。
【００１７】
なお、前記通信機器３０は、前記辞書端末１０との通信接続が確立されていれば、当該辞書端末１０が連携処理モードに移行されているか否（非連携処理モード）かに関わらず前記指定テキスト部分のテキストデータを送信する。また、前記通信機器３０は、前記辞書端末１０が通信可能な範囲に存在しない等の要因により通信接続が確立されない場合、本通信機器３０の内部に確保した連携用の記憶エリアに前記指定テキスト部分のテキストデータを一時記憶して保存し、前記辞書端末１０との通信接続が確立された後に前記保存したテキストデータを読み出して送信する機能を有する。
【００１８】
前記辞書端末１０は、前記通信機器３０から送信された指定テキスト部分のテキストデータを受信する機能、当該受信した指定テキスト部分をテキスト転送検索画面Ｇｆのテキストエリアａｔに表示させる機能、当該テキストエリアａｔに表示された指定テキスト部分のうちの先頭の単語を自動的に指定表示ｈさせたりユーザ任意の単語（文字列）を指定表示ｈさせたりする機能、辞書選択タグｄｔｎにより選択された辞書と検索方法選択タグｓｔｎにより選択された検索方法とに従って前記指定表示ｈされた単語に対応した見出し語／成句／例文／履歴を検索する機能、当該検索結果の見出し語／成句／例文／履歴を検索結果エリアａｋに一覧表示させる機能、当該検索結果エリアａｋに一覧表示された検索結果の文字列のうち先頭の文字列を反転等により自動的に選択表示ｈｓさせたりユーザ任意の文字列を選択表示ｈｓさせたりする機能、当該選択表示ｈｓされた検索結果の文字列に対応する説明情報をプレビューエリアａｅにプレビュー表示させる機能、当該プレビュー表示された説明情報を説明情報表示エリアＡＥ（図１７（Ｃ）参照）に通常表示させる機能などを有する。
【００１９】
なお、前記辞書端末１０は、電源ＯＦＦの状態でも前記近距離無線通信Ｂｔにより低消費電力で前記通信機器３０との通信接続を確立する機能を有し、連携処理モードに移行されていない非連携処理モードにおいて前記通信機器３０から指定テキスト部分のテキストデータが受信された場合、本辞書端末１０の内部に確保した連携用の記憶エリアに前記指定テキスト部分のテキストデータを一時記憶して保存し、連携処理モードに移行された後に前記保存したテキストデータを読み出して前記テキスト転送検索画面Ｇｆのテキストエリアａｔに表示させる機能を有する。また、前記辞書端末１０は、前記非連携処理モードであっても、電源ＯＦＦの状態で前記表示部１５が開いた状態（表示ＯＦＦ）にある場合は、前記通信機器３０からの連携確認信号の受信に応じて自動で電源ＯＮ（起動）し連携処理モードに移行する機能を有する。なお、辞書端末１０では、文字入力キー（入力手段）のユーザ操作に応じた個別の辞書検索処理、辞書端末１０に備えられた学習コンテンツによる学習機能処理、内蔵又は外部から取得された書籍のテキストを表示する書籍表示処理等を備える。これらの各処理の実行状態では、連携処理モードではない非連携処理モードとなっており、これらの各処理の実行状態では、前記通信機器３０からの連携確認信号の受信に応じて自動で電源ＯＮ（起動）し連携処理モードに移行することが禁止される。これにより外部から強制的に現在の辞書端末での処理が変更されないようになっている。
【００２０】
図２は、前記通信辞書システムにおける辞書端末１０の電子回路の構成を示すブロック図である。
【００２１】
前記辞書端末１０の電子回路は、コンピュータであるＣＰＵ１６を備える。前記ＣＰＵ１６は、フラッシュＲＯＭなどの記憶部１７に予め記憶された情報表示制御プログラム１７ａ、あるいはメモリカードなどの外部記録媒体１８から記録媒体読取部１９により読み取られて前記記憶部１７に記憶された情報表示制御プログラム１７ａ、あるいは外部の通信機器３０から近距離無線通信部２０を介してダウンロードされ前記記憶部１７に記憶された情報表示制御プログラム１７ａに従って回路各部の動作を制御する。
【００２２】
前記ＣＰＵ１６には、前記キー入力部１４、タッチパネル付き表示部１５、記憶部１７、記録媒体読取部１９が接続される他に、前記通信機器３０との通信を行なう近距離無線通信部（Bluetooth／Wi-Fi）２０も接続される。
【００２３】
前記記憶部１７には、前記情報表示制御プログラム１７ａ、辞書データベース１７ｂが記憶され、また、通信機器連携用テキスト部分データエリア１７ｃ、履歴データエリア１７ｄ、テキスト帳データエリア１７ｅなどが確保される。
【００２４】
前記情報表示制御プログラム１７ａとしては、本辞書端末１０の全体の動作を司るシステムプログラム、前記辞書データベース１７ｂに記憶された各種の辞書データや前記履歴データエリア１７ｄに記憶された検索履歴データに基づいて、見出し語検索、成句検索、例文検索、履歴検索などを行なうための辞書検索プログラム、前記通信機器３０と連携して前記見出し語検索、成句検索、例文検索、履歴検索などを行なうための通信機器連携処理プログラムなどが記憶される。
【００２５】
前記辞書データベース１７ｂには、各種の英和辞書、英英辞書、成句辞書、例文ＤＢ（データベース）、国語辞書などの辞書データが記憶されている。これらの辞書データには、何れも、見出し語となる複数の単語や文章に対応付けてその意味や訳文などの説明情報が集録されている。
【００２６】
前記通信機器連携用テキスト部分データエリア１７ｃには、前記通信機器連携処理プログラムに従い前記通信機器３０から受信された前記指定テキスト部分のテキストデータが記憶される。
【００２７】
前記履歴データエリア１７ｄには、前記見出し語検索、成句検索、例文検索に応じてその検索結果の説明情報を表示させた際に、当該検索結果の見出し語、成句、例文が、その検索対象となった辞書に対応付けられて記憶される。
【００２８】
前記テキスト帳データエリア１７ｅは、ユーザｕによって選択される複数のテキストフォルダを有し、前記通信機器３０から受信された前記指定テキスト部分のテキストデータが前記選択されたテキストフォルダに記憶される。この際、前記テキストフォルダに記憶される前記指定テキスト部分のテキストデータには、当該テキストデータに基づいて見出し語検索、成句検索、例文検索を行なった履歴データも付加されて記憶される。さらに、前記履歴データとして記憶される見出し語、成句、例文には、それぞれ個々に該当の見出し語、成句、例文についてユーザｕが覚えた否かなどの重要度や理解度をユーザ自らがチェックして確認するためのチェックデータが付加されて記憶される。
【００２９】
このように構成された辞書端末１０は、前記ＣＰＵ１６が前記情報表示制御プログラム１７ａに記述された命令に従い回路各部の動作を制御し、ソフトウエアとハードウエアとが協働して動作することにより、以下の動作説明で述べるような、通信機器３０との連携機能と辞書検索機能を含む情報表示制御機能とを実現する。
【００３０】
図３は、前記通信辞書システムにおける通信機器３０の電子回路の構成を示すブロック図である。
【００３１】
前記通信機器３０の電子回路は、コンピュータであるＣＰＵ３２を備える。前記ＣＰＵ３２は、フラッシュＲＯＭなどの記憶部３３に予め記憶された通信機器制御プログラム３３ａ、あるいはメモリカードなどの外部記録媒体３５から記録媒体読取部３６により読み取られて前記記憶部３３に記憶された通信機器制御プログラム３３ａや辞書端末連携処理アプリケーション３３ｂ、あるいは通信ネットワークＮ上のＷｅｂサーバ（この場合はプログラムサーバ４０）から無線通信部（Wi-Fi通信／移動体通信）３４を介してダウンロードされ前記記憶部３３に記憶された情報表示制御プログラム３３ａや辞書端末連携処理アプリケーション３３ｂに従って回路各部の動作を制御する。
【００３２】
前記ＣＰＵ３２には、前記記憶部３３、無線通信部３４、記録媒体読取部３６が接続される他に、前記辞書端末１０との通信を行なう近距離無線通信部（Bluetooth／Wi-Fi）３７も接続される。
【００３３】
前記記憶部３３には、前記通信機器制御プログラム３３ａ、前記辞書端末連携処理アプリケーション３３ｂなどのプログラムエリア以外に、各種の作業データを記憶するための作業データエリアが確保され、辞書端末連携用テキスト部分データエリア３３ｃ等が確保される。
【００３４】
前記通信機器制御プログラム３３ａとしては、本通信機器３３の全体の動作を司るシステムプログラム、通信ネットワークＮ上のＷｅｂサーバ（情報サーバほか）４０…と通信接続しユーザ操作に応じて相互にデータ通信するためのＷｅｂブラウザプログラムなどが記憶される。
【００３５】
前記辞書端末連携用テキスト部分データエリア３３ｃには、前記辞書端末連携処理アプリケーション３３ｂに従い前記指定テキスト部分のテキストデータが前記辞書端末１０との通信接続が確立できない場合に一時記憶され保存される。
【００３６】
このように構成された通信機器３０は、前記ＣＰＵ３２が前記通信機器制御プログラム３３ａや辞書端末連携処理アプリケーション３３ｂに記述された命令に従い回路各部の動作を制御し、ソフトウエアとハードウエアとが協働して動作することにより、以下の動作説明で述べるような、Ｗｅｂブラウザ機能や辞書端末連携機能を実現する。
【００３７】
次に、前記構成の通信辞書システムの動作について説明する。
【００３８】
図４は、前記通信機器３０による辞書端末連携処理を示すフローチャートである。
【００３９】
図５は、前記辞書端末１０による前記通信機器３０との通信割込処理を示すフローチャートである。
【００４０】
図６は、前記辞書端末１０による情報表示制御処理を示すフローチャートである。
【００４１】
図７〜図９は、前記辞書端末１０の情報表示制御処理に伴う通信機器３０との連携処理（その１〜３）を示すフローチャートである。
【００４２】
はじめに、前記通信機器３０と辞書端末１０との間での無線通信機能の立上げに伴う動作について説明する。
【００４３】
前記辞書端末１０は、見かけ上の動作が停止している電源ＯＦＦ（表示ＯＦＦ）の状態で、ＯＮキーの検知処理と前記通信端末３０からの近距離無線通信Ｂｔによる通信接続要求信号の受信の検知処理とを低消費電力で連続的に行なう処理状態に設定されている（ステップＳ１）。
【００４４】
前記通信機器３０において、前記辞書端末連携処理アプリケーション３３ｂの起動により、又はその起動後のユーザ操作により近距離無線通信機能の立上げが指示され、通信相手として前記辞書端末１０が選択されると、近距離無線通信部３７から当該辞書端末１０に対する通信接続要求信号が送信される（ステップＴ０１）。
【００４５】
そして、前記辞書端末１０から通信接続応答信号が受信されるか否かが判断される（ステップＴ０２）。
【００４６】
ここで、前記辞書端末１０から通信接続応答信号が受信されない場合は（ステップＴ０２（Ｎｏ））、前記近距離無線通信部３７から辞書端末１０に対して、繰り返し前記通信接続要求信号が送信される（ステップＴ０１）。
【００４７】
前記通信機器３０において、前記辞書端末１０からの通信接続応答信号が受信されない状態で（ステップＴ０１，Ｔ０２（Ｎｏ））、例えば前記図１で示したように、テキスト画面Ｇｔとして表示されたテキストのうちユーザｕが任意に指定した指定テキスト部分ｈのテキストデータを同ユーザｕによる［転送］キーＦの操作により前記辞書端末１０へ送信する指示がされた場合は（ステップＴ０３（Ｙｅｓ））、当該指定テキスト部分ｈのテキストデータは前記辞書端末連携用テキスト部分データエリア３３ｃに一時記憶される（ステップＴ０４）。
【００４８】
一方、前記通信機器３０において、前記辞書端末１０から通信接続応答信号が受信されると（ステップＴ０２（Ｙｅｓ））、同辞書端末１０に対して連携確認信号が送信され（ステップＴ１）、当該辞書端末１０から連携処理モードである旨の信号が受信されるか否かが判断される（ステップＴ２）。
【００４９】
ここで、前記辞書端末１０から連携処理モードである旨の信号が受信されない場合は（ステップＴ２（Ｎｏ））、当該辞書端末１０が非連携処理モードである旨が表示と音声により報知される（ステップＴ３）。
【００５０】
そして、前記辞書端末１０から連携処理モードである旨の信号が受信された場合（ステップＴ２（Ｙｅｓ））と、受信されない場合（ステップＴ２（Ｎｏ））との何れにあっても、例えば前記図１で示したように、ユーザｕが任意に指定した指定テキスト部分ｈのテキストデータを同ユーザｕによる［転送］キーＦの操作により前記辞書端末１０へ送信する指示がされた場合は（ステップＴ４（Ｙｅｓ））、当該指定テキスト部分ｈのテキストデータが前記辞書端末１０へ送信される（ステップＴ５）。
【００５１】
また、前記ステップＴ０１〜Ｔ０４の処理に従い、前記辞書端末１０との通信接続が行えない状態にあって辞書端末連携用テキスト部分データエリア３３ｃに一時記憶（保存）されている指定テキスト部分ｈのテキストデータがある場合は、前記ステップＴ４における送信の指示として判断され（ステップＴ４（Ｙｅｓ））、当該一時記憶（保存）されている指定テキスト部分ｈのテキストデータが読み出されて前記辞書端末１０へ送信される（ステップＴ５）。
【００５２】
この後、ユーザ操作により前記辞書端末連携処理アプリケーション３３ｂが終了されない状態では（ステップＴ６（Ｎｏ））、前記辞書端末１０が連携処理モードであるか非連携処理モードであるかに関わらず、ユーザｕが任意に指定した指定テキスト部分ｈのテキストデータが前記辞書端末１０へ送信される（ステップＴ４〜Ｔ６）。
【００５３】
一方、前記辞書端末１０において、前記通信機器３０から送信された通信接続要求信号が受信されると（ステップＳ２（Ｙｅｓ））、通信割込処理が実行される（ステップＳＪ）。
【００５４】
この通信割込処理（図５参照）において、前記通信機器３０からの通信接続要求信号が受信されたと判断されると（ステップＪ１（Ｙｅｓ））、通信接続応答信号が同通信機器３０に送信され（ステップＪ２）、同通信機器３０からの連携確認信号が受信されるか否か判断される（ステップＪ３）。
【００５５】
ここで、通信機器３０からの連携確認信号が受信されると（ステップＪ３（Ｙｅｓ））、非連携処理モードか否(連携処理モード)か判断され（ステップＪ４）、非連携処理モードであると判断されると（ステップＪ４（Ｙｅｓ））、電源ＯＦＦ（表示ＯＦＦ）の状態であるか否か（ステップＪ５）、また電源ＯＦＦ（表示ＯＦＦ）の状態であれば（ステップＪ５（Ｙｅｓ））、タッチパネル付き表示部１５が閉じた状態であるか否か判断される（ステップＪ９）。
【００５６】
ここで、電源ＯＦＦ（表示ＯＦＦ）の状態でない（ステップＪ５（Ｎｏ））、つまり電源ＯＮ（表示ＯＮ）の状態でユーザによる何らかの作業中にあると仮定される場合、又は電源ＯＦＦ（表示ＯＦＦ）の状態で（ステップＪ５（Ｙｅｓ））、且つタッチパネル付き表示部１５が閉じた状態にあり（ステップＪ９（Ｙｅｓ））、ユーザによる作業がそのまま行えない状態にあると仮定される場合は、前記通信機器３０に対して非連携処理モードである旨の信号が送信される（ステップＪ６）。
【００５７】
そして、この非連携処理モードにおいて、前記通信機器３０でのステップＴ４〜Ｔ６の処理に従い当該通信機器３０から送信された前記指定テキスト部分ｈのテキストデータが受信されると（ステップＪ７（Ｙｅｓ））、当該受信した指定テキスト部分ｈのテキストデータは前記通信機器連携用テキスト部分データエリア１７ｃに一時記憶される（ステップＪ８）。
【００５８】
この後も、前記辞書端末１０において、非連携処理モードで、前記通信機器３０と通信接続されている状態では（ステップＪ１０（Ｙｅｓ））、当該通信機器３０から受信した指定テキスト部分ｈのテキストデータは前記通信機器連携用テキスト部分データエリア１７ｃに一時記憶される（ステップＪ８）。
【００５９】
一方、前記ステップＪ５，Ｊ９において、この辞書端末１０が電源ＯＦＦ（表示ＯＦＦ）の状態であっても（ステップＪ５（Ｙｅｓ））、タッチパネル付き表示部１５が開いた状態にあり（ステップＪ９（Ｎｏ））、ユーザによる作業がそのまま行える状態にあると仮定される場合は、自動で電源ＯＮ（表示ＯＮ）となり（ステップＪ１１）、前記通信機器３０との連携処理モード（図７〜図９参照）に移行する（ステップＪ１２）。
【００６０】
また、前記ステップＪ４において、この辞書端末１０が非連携処理モードではない（ステップＪ４（Ｎｏ））、つまり連携処理モードであると判断された場合には、前記通信機器３０との連携処理モード（図７〜図９参照）に移行する（ステップＪ１２）。
【００６１】
すなわち、ここまでに説明した前記通信機器３０と辞書端末１０との間での無線通信機能の立上げに伴う動作では、先ず、通信機器３０と辞書端末１０が通信接続不可能な状態（通信機器３０と辞書端末１０が通信可能範囲内にない等）で、通信機器３０において前記ユーザｕによる指定テキスト部分ｈの送信が指示された場合は、当該指定テキスト部分ｈのテキストデータは同通信機器３０の辞書端末連携用テキスト部分データエリア３３ｃに一時記憶されて保存される。
【００６２】
また、通信機器３０と辞書端末１０が通信接続された状態で、通信機器３０において前記ユーザｕによる指定テキスト部分ｈの送信が指示された場合（前記辞書端末連携用テキスト部分データエリア３３ｃに指定テキスト部分ｈのテキストデータが保存されている場合を含む）は、辞書端末１０が非連携処理モードであるか連携処理モードであるかに関わらず、前記指定テキスト部分ｈのテキストデータは辞書端末１０へ送信される。
【００６３】
そして、前記辞書端末１０では、非連携処理モードの状態で前記通信機器３０から送信された指定テキスト部分のテキストデータが受信された場合は、当該受信されたテキストデータは前記通信機器連携用テキスト部分データエリア１７ｃに一時記憶されて保存される。
【００６４】
これにより、通信機器３０では、辞書端末１０と通信接続されていない状態であっても、前記指定テキスト部分ｈの辞書端末１０に対する送信の操作を有効に行なうことができ、また、辞書端末１０が非連携処理モード（ユーザ作業中）の状態であっても、ユーザの作業を中断させることなく、前記指定テキスト部分ｈの辞書端末１０に対する転送を確実に行なうことができる。
【００６５】
しかも、通信機器３０と辞書端末１０が通信接続された際に、辞書端末１０が電源ＯＦＦ（表示ＯＦＦ）でタッチパネル付き表示部１５が開いた状態にあり、ユーザによる作業がそのまま行える状態にあると仮定される場合は、速やかに辞書端末１０を電源ＯＮ（表示ＯＮ）にして連携処理モードに移行させることができる。
【００６６】
一方、辞書端末１０において、前記電源ＯＦＦ（表示ＯＦＦ）の状態で、前記キー入力部１４のＯＮキーの入力が検知されると（ステップＳ３（Ｙｅｓ））、前記タッチパネル付き表示部１５の表示がＯＮになり、非連携処理モードでのユーザ操作に応じた動作状態に移行される（ステップＳ４）。
【００６７】
前記辞書選択キーの操作により辞書が選択されると（ステップＳ５）、当該選択された辞書に基づいた辞書検索処理が実行される（ステップＳ６）。例えば、前記タッチパネル付き表示部１５においてユーザにより入力されるかユーザにより指定された文字列に対応する見出し語が前記選択された辞書から検索され、当該検索された見出し語の説明情報が表示される。
【００６８】
また、前記キー入力部１４のメニューキーの操作に応じて表示される各種学習機能のメニューや書籍のメニューからユーザ任意の学習機能が選択されるか、または書籍が選択されると（ステップＳ８）、選択された学習機能の処理が実行されるか、または選択された書籍の内容の情報が前記タッチパネル付き表示部１５に表示される（ステップＳ９）。
【００６９】
そして、前記キー入力部１４の連携処理キー１４ａが入力されると（ステップＳ１１（Ｙｅｓ））、連携処理モードに移行する（ステップＳ１２，ＳＡ）。
【００７０】
その他のキーが入力された場合には（ステップＳ２０（Ｙｅｓ））、当該入力されたキーの内容に応じた他の処理が実行される。
【００７１】
なお、前記テキストフォルダに関する処理（ステップＳ１３〜Ｓ１９）については後述する。
【００７２】
次に、辞書端末１０において、前記電源ＯＮ（表示ＯＮ）の状態での非連携処理モードから前記連携処理キー１４ａのユーザ操作に応じて連携処理モードに移行されるか（ステップＳ１１，Ｓ１２）、又は、前記通信機器３０からの通信接続要求に応じた通信割込処理（ステップＳ２→ＳＪ）に従い、電源ＯＦＦ（表示ＯＦＦ）で表示部１５が開いた状態での非連携処理モードから連携処理モードに移行される（ステップＪ９→Ｊ１１，Ｊ１２）ことによる通信機器３０との連携処理（図７〜図９参照）について説明する。
【００７３】
辞書端末１０において、連携処理モードに移行され、前記通信機器３０からの連携確認信号が受信された（又は受信されている）と判断されると（ステップＡ１（Ｙｅｓ））、近距離無線通信部２０から当該通信機器３０に対して連携処理モードである旨の信号が送信される（ステップＡ２）。
【００７４】
そして、前記通信機器３０からユーザ操作に応じて指定表示ｈされた指定テキスト部分（図１参照）のテキストデータが受信されるか否か、又は前記非連携処理モードにおいて前記通信機器３０から既に受信された指定テキスト部分のテキストデータが前記通信機器連携用テキスト部分データエリア１７ｃに記憶され保存されているか否かが判断される（ステップＡ３）。
【００７５】
ここで、前記通信機器３０から送信された指定テキスト部分が受信されたか又は保存されていると判断されると（ステップＡ３（Ｙｅｓ））、以下に説明するステップＡ５以降の処理に従い、前記受信又は保存された指定テキスト部分のテキストデータを対象にした連携処理モードでの辞書検索処理が実行される。
【００７６】
図１０は、前記通信機器３０と辞書端末１０との連携処理に従った表示動作（その１）を示す図である。
【００７７】
前記通信機器３０において、通信ネットワークＮ上の情報サーバ４０にアクセスし、図１０（Ａ）に示すように、ニュースや書籍等のユーザ任意のテキストデータ“Inventors experimented … as typists.”をダウンロードしてタッチパネル付き表示部３１のテキスト画面Ｇｔに表示させる。
【００７８】
そして、前記テキスト画面Ｇｔに表示されたテキストデータのうち、ユーザｕが調べたい単語“Inventors”（１単語）をタッチして指定表示ｈさせ、図１０（Ｂ）に示すように、［転送］キーＦをタッチする。
【００７９】
すると、前記指定表示ｈされた指定テキスト部分“Inventors”の前記辞書端末１０への送信が指示されたと判断され（ステップＴ４（Ｙｅｓ））、当該指定テキスト部分“Inventors”が通信接続中の辞書端末１０へ送信される（ステップＴ５）。
【００８０】
前記辞書端末１０において、前記通信機器３０から送信された指定テキスト部分“Inventors”が受信されると（ステップＡ３（Ｙｅｓ））、当該指定テキスト部分の先頭が英語か日本語の何れであるかが判断される（ステップＡ５，Ａ７）。
【００８１】
前記指定テキスト部分“Inventors”の先頭が英語と判断されると（ステップＡ５（Ｙｅｓ））、前記辞書データベース１７ｂに記憶されている英語系の複数の辞書（ここでは、「リーダース英和辞書」「英和大辞書」「大英和辞書」「ＯＡ英英辞書」…）が検索対象辞書に設定される（ステップＡ６）。なお、前記指定テキスト部分の先頭が日本語と判断された場合は（ステップＡ７（Ｙｅｓ））、前記辞書データベース１７ｂに記憶されている日本語系の複数の辞書が検索対象辞書に設定される（ステップＡ８）。
【００８２】
すると、図１０（Ｃ）に示すように、前記受信された指定テキスト部分“Inventors”を表示させたテキストエリアａｔを上段に、当該テキストエリアａｔで指定表示ｈされた文字列の辞書検索結果を一覧表示するための検索結果エリアａｋを下段左側に、当該検索結果エリアａｋで選択表示ｈｓされた検索結果に対応した説明情報をプレビュー表示するためのプレビューエリアａｅを下段右側に組み合わせたテキスト転送検索画面Ｇｆが表示される。
【００８３】
そして、前記テキスト転送検索画面Ｇｆにおいて、その検索結果エリアａｋの上端に沿った中段の横方向に、前記検索対象に設定された複数の辞書の辞書選択タグ［リーダース］ｄｔ１，［英和大］ｄｔ２，［大英和］ｄｔ３，［ＯＡ英英］ｄｔ４，…が表示され、そのうち左端の辞書選択タグ［リーダース］ｄｔ１がデフォルトで選択され色付け等により選択表示される（ステップＡ９）。
【００８４】
また、前記テキスト転送検索画面Ｇｆにおいて、その検索結果エリアａｋの左側に沿った縦方向に、見出し語（単語）検索／成句検索／例文検索／履歴検索からなる各検索方法選択タグ［単語］ｓｔ１，［成句］ｓｔ２，［例文］ｓｔ３，［履歴］ｓｔ４が表示され、そのうち上端の検索方法選択タグ［単語］ｓｔ１がデフォルトで選択され色付け等により選択表示される（ステップＡ１０）。
【００８５】
前記選択表示された検索方法選択タグ［単語］ｓｔ１に応じて、単語の見出し語検索が選択されたと判断されると（ステップＡ１１（Ｙｅｓ））、前記選択表示された辞書選択タグ［リーダース］ｄｔ１に応じた「リーダース英和辞書」を検索対象辞書として、前記指定テキスト部分“Inventors”の先頭からの最長一致検索が行われ、当該最長一致順に検索された見出し語（ここでは“Inventor”）が前記検索結果エリアａｋに一覧表示される。
【００８６】
そして、前記検索結果エリアａｋに一覧表示された先頭の見出し語“Inventor”が選択表示ｈｓされ、当該見出し語“Inventor”に対応した説明情報が前記プレビューエリアａｅにプレビュー表示される（ステップＡ１２）。
【００８７】
なお、前記最長一致検索により検索される見出し語には、複数の単語（英語）／文字（日本語）から構成される複合語も含まれる（英語の場合、例えば“United States”）。
【００８８】
図１１は、前記通信機器３０と辞書端末１０との連携処理に従った表示動作（その２）を示す図である。
【００８９】
この図１１では、前記図１０で示した通信機器３０からの指定テキスト部分“Inventors”の転送による辞書端末１０での見出し語検索に続いて、前記同様の処理に従い、次の指定テキスト部分“experimented”の転送により辞書端末１０での見出し語検索を行なった状態での表示動作を示している。
【００９０】
このように、前記通信機器３０からユーザｕによる新たな指定テキスト部分を続けて辞書端末１０に転送して見出し語検索する場合、図１１（Ｃ）に示すように、辞書端末１０におけるテキスト転送検索画面Ｇｆのテキストエリアａｔには、前回、通信機器３０から転送された指定テキスト部分“Inventors”が、今回、通信機器３０から転送された指定テキスト部分“experimented”の下の行に残って表示される。この場合、テキストエリアａｔに表示された複数の指定テキスト部分“Inventors”“experimented”のうち、ユーザｕによって何れかの指定テキスト部分を指定表示ｈさせることで、当該指定表示ｈされた文字列に対応する見出し語を前記検索対象辞書から検索できる。
【００９１】
なお、前記テキストエリアａｔに表示された指定テキスト部分において、当該テキストが英語である場合には先頭の単語が、日本語である場合には先頭の文字が、何れも自動で指定表示ｈされる（ステップＡ１３）。
【００９２】
図１２は、前記通信機器３０と辞書端末１０との連携処理に従った表示動作（その３）を示す図である。
【００９３】
前記図１０（Ａ）と同様に、前記通信機器３０のテキスト画面Ｇｔに表示されたテキストデータ“Inventors experimented … as typists.”のうち、図１２（Ａ）に示すように、ユーザｕが調べたい複数の単語を含む範囲“Inventors experimented … in the early typewriters.”をタッチして指定表示ｈさせ、図１２（Ｂ）に示すように、［転送］キーＦをタッチする。
【００９４】
すると、前記同様に、今回指定表示ｈされた指定テキスト部分“Inventors experimented … in the early typewriters.”が通信接続中の辞書端末１０へ送信される（ステップＴ４，Ｔ５）。
【００９５】
前記辞書端末１０では、前記同様の処理に従い、図１２（Ｃ）に示すように、前記指定テキスト部分“Inventors experimented … in the early typewriters.”が前記テキスト転送検索画面Ｇｆのテキストエリアａｔに表示される（ステップＡ３，Ａ５〜Ａ１０）。
【００９６】
そして、前記指定テキスト部分“Inventors experimented … in the early typewriters.”の先頭からの最長一致検索が行われ、当該検索された見出し語“Inventor”が前記検索結果エリアａｋに一覧表示され、同見出し語“Inventor”に対応した説明情報が前記プレビューエリアａｅにプレビュー表示される（ステップＡ１１，Ａ１２）。
【００９７】
そして、前記テキストエリアａｔに表示された指定テキスト部分において、その先頭の単語“Inventors”が自動で指定表示ｈされる（ステップＡ１３）。
【００９８】
すなわち、前記通信機器３０のテキスト画面Ｇｔに表示されたテキストデータ“Inventors experimented … as typists.”のうち、１単語“Inventors”を指定テキスト部分として前記辞書端末１０へ転送した場合は勿論、同テキストデータのうち複数の単語を含む範囲“Inventors experimented … in the early typewriters.”を指定テキスト部分として前記辞書端末１０へ転送した場合でも、その先頭から最長一致検索された見出し語“Inventor”を前記検索結果エリアａｋに表示させ、その説明情報を前記プレビューエリアａｅにプレビュー表示させることができる。
【００９９】
図１３は、前記通信機器３０と辞書端末１０との連携処理に従った表示動作（その４）を示す図である。
【０１００】
次に、前記図１２（Ａ）と同様に、前記通信機器３０のテキスト画面Ｇｔに表示されたテキストデータ“Inventors experimented … as typists.”のうち、図１３（Ａ）に示すように、ユーザｕが調べたい複数の単語を含む範囲“United States, … as typists.”をタッチして指定表示ｈさせ、図１３（Ｂ）に示すように、［転送］キーＦをタッチする。
【０１０１】
この場合も、前記辞書端末１０では、前記同様の処理に従い、図１３（Ｃ）に示すように、前記通信機器３０から受信された指定テキスト部分“United States, … as typists.”が前記テキスト転送検索画面Ｇｆのテキストエリアａｔに表示される（ステップＡ３，Ａ５，Ａ６，Ａ９，Ａ１０）。
【０１０２】
そして、前記指定テキスト部分“United States, … as typists.”の先頭からの最長一致検索が行われ、当該検索された見出し語“United States”が前記検索結果エリアａｋに一覧表示され、同見出し語“United States”に対応した説明情報が前記プレビューエリアａｅにプレビュー表示される（ステップＡ１１，Ａ１２）。
【０１０３】
そして、前記テキストエリアａｔに表示された指定テキスト部分において、その先頭の単語“United”が自動で指定表示ｈされる（ステップＡ１３）。
【０１０４】
なおここで、図１３（Ｄ）に示すように、前記テキストエリアａｔに表示された指定テキスト部分“United States, … as typists.”において、ユーザｕにより１または複数の単語を含む文字列“United States”が指定されて指定表示ｈされた場合は（ステップＡ１４（Ｙｅｓ））、当該指定表示ｈされた文字列に完全一致する見出し語“United States”が検索され、当該検索された見出し語“United States”が前記検索結果エリアａｋに一覧表示され、同見出し語“United States”に対応した説明情報が前記プレビューエリアａｅにプレビュー表示される（ステップＡ１６）。
【０１０５】
すなわち、前記図１３（Ｂ）で示したように、ユーザｕによる指定テキスト部分“United States, … as typists.”を前記辞書端末１０に転送して前記テキスト転送検索画面Ｇｆのテキストエリアａｔに表示させた直後には、当該指定テキスト部分の先頭からの最長一致検索で見出し語“United States”が検索され、その先頭の単語“United”が自動で指定表示ｈされる。この後、図１３（Ｄ）に示すように、前記テキストエリアａｔに表示させた指定テキスト部分“United States, … as typists.”の１または複数の単語を含む文字列“United States”を指定表示ｈさせた場合には、当該指定表示ｈさせた文字列に完全一致する見出し語“United States”が検索されるようになる。
【０１０６】
図１４は、前記辞書端末１０が電源ＯＦＦで且つ表示部１５が閉じられた状態か又は非連携処理モードでの動作中に前記通信機器３０から指定テキスト部分を送信した場合の表示動作を示す図である。
【０１０７】
前記図１０（Ｂ）で示した場合と同様に、通信機器３０において、図１４（Ａ）に示すように、テキスト画面Ｇｔにて指定表示ｈさせた指定テキスト部分“Inventors”の転送を指示した場合に、図１４（Ｂ）に示すように、辞書端末１０が電源ＯＦＦで且つ表示部１５が閉じられた状態か又は非連携処理モードでの動作中にある場合には、当該辞書端末１０から連携処理モードである旨の信号が受信されないので（ステップＴ２（Ｎｏ））、図１４（Ｃ）に示すように、通信機器３０のテキスト画面Ｇｔには、辞書端末１０が非連携処理モードである旨のメッセージＭ１「電子辞書の無線連動機能が起動していません。次回起動時に転送テキストは読み込まれます。」が表示される（ステップＴ３）。
【０１０８】
そして、前記辞書端末１０が電源ＯＦＦで且つ表示部１５が閉じられた状態か又は非連携処理モードでの動作中にある場合でも、前記通信機器３０から指定テキスト部分“Inventors”の送信は行われ（ステップＴ４，Ｔ５）、辞書端末１０にて受信された当該
指定テキスト部分“Inventors”のテキストデータは、前記通信機器連携用テキスト部分データエリア１７ｃに記憶されて保存される（ステップＪ７，Ｊ８）。
【０１０９】
図１５は、前記辞書端末１０が非連携処理モードにおいて通信機器３０から転送された指定テキスト部分のテキストデータを保存していた場合の連携処理モードへの移行に応じた表示動作を示す図である。
【０１１０】
前記辞書端末１０が非連携処理モードにある状態で、例えば、前記図１０（Ｂ）で示したように、通信機器３０において、指定テキスト部分“Inventors”の送信が行われ（ステップＴ４，Ｔ５）、前記辞書端末１０の通信機器連携用テキスト部分データエリア１７ｃに保存された状態で（ステップＪ７，Ｊ８）、図１５（Ａ）に示すように、前記辞書端末１０が、前記連携処理キー１４ａの操作に応じて連携処理モードに移行されるか（ステップＳ１１，Ｓ１２）、又は前記通信割込処理に従い電源ＯＦＦ（表示ＯＦＦ）で表示部１５が開かれている状態から自動で連携処理モードに移行される（ステップＪ５，Ｊ９→Ｊ１１，Ｊ１２）。
【０１１１】
すると、辞書端末１０では、図１５（Ｂ）に示すように、前記通信機器連携用テキスト部分データエリア１７ｃに前記指定テキスト部分“Inventors”が保存されていると判断されることで（ステップＡ３（Ｙｅｓ））、テキスト転送検索画面Ｇｆ上にメッセージＭ２「無線連動機能が起動していないときにテキストが転送されました。テキストを読み込みます。」が表示される。
【０１１２】
すると、前記通信機器連携用テキスト部分データエリア１７ｃに保存されている指定テキスト部分“Inventors”が読み出されて前記同様に見出し語検索が行われ、図１５（Ｃ）に示すように、前記指定テキスト部分“Inventors”を表示させたテキストエリアａｔと、当該テキストエリアａｔで指定表示ｈされた文字列の辞書検索結果を一覧表示するための検索結果エリアａｋと、当該検索結果エリアａｋで選択表示ｈｓされた検索結果に対応した説明情報をプレビュー表示するためのプレビューエリアａｅとを組み合わせたテキスト転送検索画面Ｇｆが表示される（ステップＡ６，Ａ９，Ａ１０）。
【０１１３】
なお、前記辞書端末１０が非連携処理モードにある状態で、例えば、前記図１０（Ｂ）と図１１（Ｂ）で示したように、通信機器３０において、２つの指定テキスト部分“Inventors”と“experimented”の送信が続けて行われ（ステップＴ４，Ｔ５）、前記辞書端末１０の通信機器連携用テキスト部分データエリア１７ｃに保存されていた状態でも（ステップＪ７，Ｊ８）、ユーザ操作による連携処理キーの操作に応じて、連携処理モードに移行されると（図６のステップＳ１１、Ｓ１２）、又は、ユーザの操作が終わって一定時間経過して表示が開いた状態でオフされて（オートパワーオフ）された後に、通信機器３０から連携確認信号が受信されることによって連携処理モードに移行される（図５のステップＪ３〜Ｊ１２）と、保存されたテキストデータ部分について見出し語検索が行われる。すなわち、図１５（Ｄ）に示すように、最新の指定テキスト部分“experimented”を上にそれ以前の指定テキスト部分“Inventors”を下にして表示させたテキストエリアａｔと、当該テキストエリアａｔで指定表示ｈされた文字列の辞書検索結果を一覧表示するための検索結果エリアａｋと、当該検索結果エリアａｋで選択表示ｈｓされた検索結果に対応した説明情報をプレビュー表示するためのプレビューエリアａｅとを組み合わせたテキスト転送検索画面Ｇｆが表示される（ステップＡ６，Ａ９，Ａ１０）。
【０１１４】
これにより、前記通信機器３０によりユーザ任意の指定テキスト部分の前記辞書端末１０に対する転送の指示を行なった際に、当該辞書端末１０が別の作業中であったり電源ＯＦＦで表示部１５が閉じられていたりして非連携処理モードにある場合でも、その後に辞書端末１０が連携処理モードへと移行した際に、前記転送の指示が行われた指定テキスト部分を確実に辞書検索してテキスト転送検索画面Ｇｆとして表示させることができる。
【０１１５】
図１６は、前記辞書端末１０における前記通信機器３０からの指定テキスト部分を受信又は保存した後の連携処理に従った表示動作（その１）を示す図である。
【０１１６】
前記図１４で示したように、前記通信機器３０においてユーザｕが指定して前記辞書端末１０に転送した指定テキスト部分“Inventors experimented … in the early typewriters.”が、図１６（Ａ）に示すように、当該辞書端末１０のテキスト転送検索画面Ｇｆのテキストエリアａｔに表示された状態で（ステップＡ３，Ａ５，Ａ６，Ａ９〜Ａ１３）、ユーザｕにより検索方法選択タグ［例文］ｓｔ３がタッチされ例文検索が選択される（ステップＡ２０（Ｙｅｓ）→Ａ２４（Ｙｅｓ））。
【０１１７】
すると、前記辞書選択タグ［リーダース］ｄｔ１により選択されている辞書「リーダース英和辞書」や例文データベースから、前記指定テキスト部分の先頭の単語“Inventors”に対応した例文“the inventor of the vacuum cleaner.”が検索され、検索結果エリアａｋに一覧表示される。そして、前記一覧表示された例文のうち先頭の例文が選択表示ｈｓされ、当該選択された例文の説明情報がプレビューエリアａｅにプレビュー表示される（ステップＡ２５）。
【０１１８】
続いて、図１６（Ｂ）に示すように、ユーザｕにより辞書選択タグ［ＯＡ英英］ｄｔ４がタッチされ「ＯＡ英英辞書」が選択される（ステップＡ２７（Ｙｅｓ））。
【０１１９】
すると、前記選択された辞書「ＯＡ英英辞書」や例文データベースから、前記指定テキスト部分の先頭の単語“Inventors”に対応した例文“Inventors are not mad scientists.”が検索され、前記同様に検索結果エリアａｋに一覧表示される。そして、前記一覧表示された例文のうち先頭の例文が選択表示ｈｓされ、当該選択された例文の説明情報がプレビューエリアａｅにプレビュー表示される（ステップＡ２８）。
【０１２０】
また、図１６（Ｃ）に示すように、前記テキストエリアａｔに表示されている指定テキスト部分“Inventors experimented … in the early typewriters.”うち、ユーザｕにより１または複数の単語（ここでは“basic”）が指定されて指定表示ｈされる（ステップＡ２６（Ｙｅｓ））。
【０１２１】
すると、前記同様に選択されている辞書「ＯＡ英英辞書」や例文データベースから、前記指定表示ｈされた単語“basic”に対応した例文“basic information/facts/ideas.”…が検索され、前記検索結果エリアａｋに一覧表示される。そして、前記一覧表示された例文のうち先頭の例文が選択表示ｈｓされ、当該選択された例文の説明情報がプレビューエリアａｅにプレビュー表示される（ステップＡ２８）。
【０１２２】
このような例文検索結果のプレビュー表示状態（図１６（Ｃ））にあっても、訳／決定キーが操作されると、前記検索結果エリアａｋにおいて選択表示ｈｓされている例文“basic information/facts/ideas.”の説明情報が、前記プレビューエリアａｅではなく、前記見出し語検索の場合と同様の説明情報表示エリアＡＥ（図１７（Ｃ）参照）として当該説明情報の全体が表示されるようになる（ステップＡ２９，Ａ３０）。
【０１２３】
そして、前記辞書「ＯＡ英英辞書」から前記指定の単語“basic”に対応する例文“basic information/facts/ideas.”を検索した履歴データが前記履歴データエリア１７ｄに登録される（ステップＡ３１）。
【０１２４】
図１７は、前記辞書端末１０における前記通信機器３０からの指定テキスト部分を受信又は保存した後の連携処理に従った表示動作（その２）を示す図である。
【０１２５】
前記指定の単語“basic”に対応した「ＯＡ英英辞書」からの例文検索の後、続いて、図１７（Ａ）に示すように、ユーザｕにより検索方法選択タグ［成句］ｓｔ２がタッチされ成句検索が選択される（ステップＡ３２（Ｙｅｓ）→成句検索）。
【０１２６】
すると、前記見出し語検索処理（ステップＡ１１〜）や例文検索処理（ステップＡ２４〜）と同様に成句検索が実行され、前記辞書選択タグ［ＯＡ英英］ｄｔ４により選択されている辞書「ＯＡ英英辞書」や成句辞書から、前記指定表示ｈされている単語“basic”に対応した成句“go/get back to basics”が検索され、前記検索結果エリアａｋに一覧表示される。そして、前記一覧表示された成句のうち先頭の成句が選択表示ｈｓされ、当該選択された成句の説明情報がプレビューエリアａｅにプレビュー表示される。
【０１２７】
ここで、図１７（Ｂ）に示すように、検索方法選択タグ［単語］ｓｔ１が選択されると、前記同様の見出し語検索処理に従い、前記辞書選択タグ［ＯＡ英英］ｄｔ４により選択されている辞書「ＯＡ英英辞書」から、前記指定表示ｈされている単語“basic”に対応する見出し語が最長一致検索され、“basic”“BASIC”“basically”…として前記検索結果エリアａｋに一覧表示される。そして、前記一覧表示された見出し語のうち先頭の単語“basic”が選択表示ｈｓされ、当該選択された単語の前記「ＯＡ英英辞書」による説明情報がプレビューエリアａｅにプレビュー表示される（ステップＡ１４，Ａ１６）。
【０１２８】
ここで更に、前記検索結果エリアａｋにおいて、ユーザｕにより見出し語“basically”が選択されて選択表示ｈｓされ、図１７（Ｃ）に示すように、辞書選択タグ［リーダース］ｄｔ１が選択されると、前記同様に、当該選択された辞書「リーダース英和辞書」から、前記選択表示ｈｓされた見出し語“basically”に対応する説明情報がプレビューエリアａｅにプレビュー表示される（ステップＡ１４，Ａ１５，Ａ１６）。
【０１２９】
そして、訳／決定キーが操作されると、前記選択表示ｈｓされた見出し語“basically”に対応する説明情報の全体が、説明情報表示エリアＡＥに表示される（ステップＡ１７，Ａ１８）。
【０１３０】
そして、前記辞書「リーダース英和辞書」から見出し語“basically”を検索した履歴データが前記履歴データエリア１７ｄに登録される（ステップＡ１９）。
【０１３１】
続いて、図１７（Ｄ）に示すように、前記「リーダース英和辞書」（ｄｔ１）からの見出し語検索（ｓｔ１）が選択されている状態で、前記テキストエリアａｔに表示されている指定テキスト部分のうち、ユーザｕにより文字列（単語）“typewriters”が指定されて指定表示ｈされると、前記同様に当該指定の単語“typewriters”に対応した見出し語検索が実行され、前記「リーダース英和辞書」から検索された見出し語“typewriter”が検索結果エリアａｋに表示される。そして、当該見出し語“typewriter”の説明情報がプレビューエリアａｅにプレビュー表示される（ステップＡ１４，Ａ１６）。
【０１３２】
図１８は、前記辞書端末１０における前記通信機器３０からの指定テキスト部分を受信又は保存した後の連携処理に従った表示動作（その３）を示す図である。
【０１３３】
図１８（Ａ）に示すように、前記指定テキスト部分の文字列（単語）“typewriters”が指定表示ｈされ、選択中の辞書選択タグｄｔ１に応じた辞書「リーダース英和辞書」から選択中の検索方法選択タグｓｔ１に応じて見出し語検索されたテキスト転送検索画面Ｇｆにおいて（ステップＡ１１〜Ａ１６）、検索方法選択タグ［履歴］ｓｔ４が選択される（ステップＡ２０（Ｙｅｓ）→履歴検索）。
【０１３４】
すると、前記履歴データエリア１７ｄにおいて、前記選択中の辞書「リーダース英和辞書」に対応付けられて登録されている検索履歴のうち、前記指定テキスト部分に含まれる文字列（単語）からの検索履歴（ここでは見出し語“typewriter”“experiment”“Inventor”“early”）が読み出され、図１８（Ｂ）に示すように、検索結果エリアａｋに一覧表示される。
【０１３５】
この際、前記検索結果エリアａｋに一覧表示させた各見出し語のうち先頭の見出し語“typewriter”が選択表示ｈｓされ、その説明情報がプレビューエリアａｅにプレビュー表示されている。
【０１３６】
ここで、前記検索結果エリアａｋに一覧表示させた各見出し語“typewriter”“experiment”“Inventor”“early”の先頭には、チェックボックスが付加されており、図１８（Ｃ）に示すように、前記選択表示ｈｓされた見出し語“typewriter”について、例えばユーザが既に覚えた単語であるとしてチェックキーＣＨがタッチ操作されると、該当する見出し語“typewriter”のチェックボックスにチェックマークｃｈが付加される。
【０１３７】
そして、前記履歴データエリア１７ｄに登録されている検索履歴の各見出し語にも、前記チェックマークｃｈが付加されたか否かのチェックデータが対応付けられて登録される。
【０１３８】
図１９は、前記辞書端末１０において前記通信機器３０からの指定テキスト部分をテキストフォルダに登録する場合の表示動作を示す図である。
【０１３９】
図１９（Ａ）に示すように、前記指定テキスト部分“Inventors experimented … in the early typewriters.”に対応した「リーダース英和辞書」からの検索履歴である各見出し語“typewriter”“experiment”“Inventor”“early”を表示させた状態で、当該指定テキスト部分を登録するために、図１９（Ｂ）に示すように、［登録］キーＲＥをタッチ操作する（ステップＡ２１（Ｙｅｓ））。
【０１４０】
すると、前記テキスト帳データエリア１７ｅに登録可能なテキストフォルダをユーザに指定させるための保存フォルダ指定画面Ｇｒがタッチパネル付き表示部１５に表示される（ステップＡ２２）。
【０１４１】
前記保存フォルダ指定画面Ｇｒにおいて、［テキストフォルダ１］がユーザｕにより指定されて選択表示ｈｓされると、図１９（Ｃ）に示すように、登録実行メッセージ「登録します」ｍｒが表示される（ステップＡ２２）。
【０１４２】
そして、訳／決定キーが操作されると、前記指定の［テキストフォルダ１］に前記指定テキスト部分“Inventors experimented … in the early typewriters.”とその検索履歴（チェックデータ含む）が対応付けられて、前記テキスト帳データエリア１７ｅに登録される（ステップＡ２３）。
【０１４３】
なお、ここでは、前記図１８（Ａ）〜図１９（Ｃ）で説明したように、前記指定テキスト部分に対応する見出し語検索からの履歴検索において、当該テキスト部分を登録する処理（ステップＡ２１〜Ａ２３）について説明したが、前記指定テキスト部分に対応する例文検索からの履歴検索において、当該テキスト部分を登録する処理（ステップＡ３３〜Ａ３５）についても、前記同様に実行される。
【０１４４】
すなわち、ユーザ指定の［テキストフォルダｎ］に前記指定テキスト部分“Inventors experimented … in the early typewriters.”とその指定テキスト部分にて指定表示ｈさせた文字列（単語）に対応する例文の検索履歴（チェックデータ含む）とが対応付けられて、前記テキスト帳データエリア１７ｅに登録される。
【０１４５】
図２０は、前記辞書端末１０において前記テキストフォルダに登録した指定テキスト部分を見る場合の表示動作を示す図である。
【０１４６】
キー入力部１４のメニューキーの操作に応じて表示される各種の動作モードを選択するためのメニュー画面から［テキストフォルダ機能］の［テキストフォルダを見る］の項目が指定されると（ステップＳ１３（Ｙｅｓ））、図２０（Ａ）に示すように、見たいテキストフォルダをユーザに指定させるためのテキストフォルダ一覧画面Ｇｈがタッチパネル付き表示部１５に表示される（ステップＳ１４）。
【０１４７】
前記テキストフォルダ一覧画面Ｇｈにおいて、ユーザｕにより見たい［テキストフォルダ１］が指定されると（ステップＳ１５）、前記テキスト帳データエリア１７ｅで当該指定の［テキストフォルダ１］に対応付けられて登録されているテキスト見出し［Ａ］［Ｂ］…［Ｄ］（各テキストの登録年月日）が読み出され、図２０（Ｂ）に示すように、登録テキスト一覧画面Ｇｈａとして表示される（ステップＳ１６）。この登録テキスト一覧画面Ｇｈａでは、前記テキスト見出し［Ａ］［Ｂ］…［Ｄ］の何れかが選択されて選択表示ｈｓされると、当該選択表示ｈｓされた見出し［Ａ］に対応付けられて登録されているテキスト（前記指定テキスト部分）がテキストエリアａｔに表示される。
【０１４８】
前記登録テキスト一覧画面Ｇｈａにおいて、ユーザｕにより見たいテキスト見出し［Ａ］が選択されて選択表示ｈｓされると（ステップＳ１７）、図２０（Ｃ）に示すように、当該選択されたテキスト見出し［Ａ］のテキスト（前記指定テキスト部分“Inventors experimented … in the early typewriters.”）が画面上段のテキストエリアａｔに表示される。そして、当該指定テキスト部分に対応付けられて登録されている辞書（ここでは「リーダース英和辞書」）の検索履歴である各見出し語“typewriter”“experiment”“Inventor”“early”とそのチェックデータが画面下段左側の検索結果エリアａｋに一覧表示される。更に、当該検索結果エリアａｋに一覧表示された検索履歴の見出し語のうち先頭の見出し語“typewriter”が選択表示ｈｓされ、その説明情報が画面下段右側のプレビューエリアａｅにプレビュー表示される（ステップＳ１８）。
【０１４９】
なお、前記［テキストフォルダｎ］に登録したテキスト（指定テキスト部分）に対応付けられた検索履歴の見出し語について、前記チェックデータとしてチャックマークｃｈが付加されていない見出し語だけを前記検索結果エリアａｋに一覧表示させる［チェック無表示］か、同チャックマークｃｈが付加されている見出し語だけを前記検索結果エリアａｋに一覧表示させる［チェック有表示］か、全て表示させる［全表示］かを、ユーザにより予め設定する。前記図２０の表示例では［全表示］に設定されている。これにより、前記検索履歴の各見出し語（単語）について、その重要度や理解度等に応じてチェック有りまたはチェック無しで登録しておくことで、非常に効果的な学習が行える。
【０１５０】
この後、前記辞書選択タグｄｔ１〜ｄｔ４が選択されたり、前記検索方法選択タグｓｔ１〜ｓｔ４が選択されたりして辞書検索操作がなされると（ステップＳ１９（Ｙｅｓ））、前記同様にユーザ操作に応じた各処理が実行される。
【０１５１】
図２１は、前記辞書端末１０において前記テキストフォルダに登録した指定テキスト部分を一覧から指定して表示させた場合の表示例（その１）を示す図である。
【０１５２】
ここでは、例えば、前記図１２で示したように、通信機器３０から転送された指定テキスト部分“Inventers … typewriters”を対象にしたテキスト転送検索画面Ｇｆにおいて、ユーザ任意の単語“typewriters”を辞書選択タグ［英和大］ｄｔ２を選択した状態で見出し語検索した後に、テキストフォルダに登録した場合を示している。
【０１５３】
すなわち、テキストフォルダに登録した前記指定テキスト部分“Inventers … typewriters”を前記登録テキスト一覧画面Ｇｈａ（図２０（Ｂ）参照）から選択して、図２１に示すように表示させたテキスト転送検索画面Ｇｆにおいて、テキストエリアａｔに表示された前記指定テキスト部分の単語“typewriters”をユーザｕにより指定する。すると、前記テキストフォルダへの登録に際して前記指定の単語“typewriters”を見出し語検索した辞書［英和大］ｄｔ２での検索結果を検索結果エリアａｋとプレビューエリアａｅにて表示させることができる。
【０１５４】
図２２は、前記辞書端末１０において前記テキストフォルダに登録した指定テキスト部分を一覧から指定して表示させた場合の表示例（その２）を示す図である。
【０１５５】
ここでは、図２２（Ａ）に示すように、通信機器３０から転送された指定テキスト部分“Inventers … typewriters”を対象にしたテキスト転送検索画面Ｇｆにおいて、任意の単語“basic”を見出し語検索し、検索結果エリアａｋに一覧表示された各見出し語［Ａ］［Ｂ］［Ｃ］の中から［Ａ］“basic”にチェックマークｃｈを付加した後に、テキストフォルダに登録した場合であって、前記図１９，図２０を参照して説明したように、テキストフォルダに登録した検索履歴の見出し語について、チェックマークｃｈが付加されている見出し語だけを検索結果エリアａｋに一覧表示させる［チェック有表示］の設定がなされている状態での表示例を示している。
【０１５６】
すなわち、テキストフォルダに登録した前記指定テキスト部分“Inventers … typewriters”を前記登録テキスト一覧画面Ｇｈａ（図２０（Ｂ）参照）から選択して、図２２（Ｂ）に示すように表示させたテキスト転送検索画面Ｇｆにおいて、テキストエリアａｔに表示された前記指定テキスト部分の単語“basic”をユーザｕにより指定する。すると、前記テキストフォルダへの登録に際して見出し語検索された各見出し語の中からチェックマークｃｈを付加した見出し語［Ａ］“basic”だけの検索結果を検索結果エリアａｋとプレビューエリアａｅにて表示させることができる。
【０１５７】
したがって、前記構成の通信辞書システムの辞書端末１０によれば、スマートフォンやタブレット端末などの通信機器３０により取得されて表示されたテキストデータのうち、ユーザｕにより指定された範囲の指定テキスト部分が辞書端末１０に受信された際に、当該辞書端末１０が電源ＯＦＦ又は別の作業中で非連携処理モードにある場合は、前記受信された指定テキスト部分のテキストデータは通信機器連携用テキスト部分データエリア１７ｃに一時記憶されて保存される。そして、電源ＯＮの状態での連携処理キー１４ａの操作に応じて連携処理モードに移行されると、前記通信機器連携用テキスト部分データエリア１７ｃに保存された指定テキスト部分が読み出されてテキスト転送検索画面Ｇｆのテキストエリアａｔに表示され、当該表示された前記指定テキスト部分のうち、先頭の単語が自動で指定表示ｈされるか、あるいはユーザｕによって何れか１または複数の単語を含む文字列が指定されて指定表示ｈされ、当該指定表示ｈされた１または複数の単語に対応する見出し語がユーザ選択中の辞書から検索されてその説明情報が表示される。
【０１５８】
これにより、外部の通信機器と無線連携するモードに強制的に移行されてしまうことなく、当該通信機器から送信された内容に関する情報を確実に辞書で検索して表示させることが可能になる。
【０１５９】
また、前記構成の通信辞書システムの辞書端末１０によれば、前記通信機器３０から受信してテキストエリアａｔに表示させた指定テキスト部分のテキストデータと、当該指定テキスト部分の１または複数の単語を指定して見出し語検索した当該見出し語の検索履歴とを、ユーザｕにより指定したテキストフォルダに対応付けてテキスト帳データエリア１７ｅに登録できる。
【０１６０】
そして、前記検索履歴の見出し語には、ユーザｕが当該見出し語の重要度や理解度等に応じたチェックマークｃｈを付加して登録できる。
【０１６１】
これにより、前記テキスト帳データエリア１７ｅのテキストフォルダに登録した指定テキスト部分と当該指定テキスト部分に対応する検索履歴の見出し語とを、ユーザｕの必要に応じて読み出して表示させ学習することができる。この際、前記検索履歴の各見出し語を前記チェックマークｃｈの有無に応じて選択的に読み出して表示させることもできるので、当該検索履歴の各見出し語をより効果的に学習できる。
【０１６２】
さらに、前記構成の通信辞書システムの辞書端末１０によれば、前記通信機器３０と通信接続された際に、当該通信機器３０の辞書端末連携用テキスト部分データエリア３３ｃに一時記憶され保存されている指定テキスト部分のテキストデータがある場合には、当該保存されていた指定テキスト部分のテキストデータが受信される。そして、辞書端末１０が、電源ＯＦＦ又は別の作業中で非連携処理モードにある場合は、通信機器連携用テキスト部分データエリア１７ｃに一時記憶されて保存され、連携処理モードにある場合は、前記受信された指定テキスト部分がテキスト転送検索画面Ｇｆのテキストエリアａｔに表示され前記同様に辞書検索される。
【０１６３】
これにより、前記通信機器３０にて辞書端末１０と通信接続されていない状態でユーザｕによって指定表示ｈされた指定テキスト部分のテキストデータであっても、当該通信機器３０と辞書端末１０との通信接続がされた際に、前記通信機器３０にて指定表示ｈされた指定テキスト部分を受信して辞書検索できるようになる。
【０１６４】
なお、前記実施形態では、本発明の情報表示端末を辞書端末１０により実施した場合について説明したが、通信ネットワーク（インターネット）Ｎ上のサーバ装置にアクセス可能な情報表示端末であれば、辞書データベース１７ｂを内蔵する必要はなく、辞書検索が必要なタイミングで当該情報表示端末が認証されている辞書のサーバ装置にアクセスし、前記辞書選択タグｄｔｎと検索方法選択タグｓｔｎにより選択された辞書と検索方法に応じた辞書検索結果を取得して表示させる構成としてもよい。
【０１６５】
前記各実施形態において記載した通信辞書システムによる各処理の手法、すなわち、図４のフローチャートに示す前記通信機器３０による辞書端末連携処理、図５のフローチャートに示す前記辞書端末１０による前記通信機器３０との通信割込処理、図６のフローチャートに示す前記辞書端末１０による情報表示制御処理、図７〜図９のフローチャートに示す前記辞書端末１０の情報表示制御処理に伴う通信機器連携処理などの各手法は、何れもコンピュータに実行させることができるプログラムとして、メモリカード（ＲＯＭカード、ＲＡＭカード等）、磁気ディスク（フロッピ（登録商標）ディスク、ハードディスク等）、光ディスク（ＣＤ−ＲＯＭ、ＤＶＤ等）、半導体メモリ等の記録媒体に格納して配布することができる。
【０１６６】
また、前記各手法を実現するためのプログラムのデータは、プログラムコードの形態として通信ネットワークＮ上を伝送させることができ、このプログラムデータを、通信ネットワークＮに接続された電子機器のコンピュータに通信部によって取り込むことで、前述した通信機器３０と辞書端末１０との連携機能、当該通信機器３０との連携に基づく辞書端末１０での辞書検索機能を実現することもできる。
【０１６７】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１６８】
以下に、本願出願の当初の特許請求の範囲に記載された発明を付記する。
【０１６９】
［１］
外部の通信機器において指定されたテキスト部分を受信するテキスト部分受信手段と、
前記通信機器と連携する連携モードにおいて、前記テキスト部分受信手段により受信されたテキスト部分に対応する見出し語を、見出し語と当該見出し語の説明情報とを複数組み対応付けた辞書データを記憶している辞書記憶手段から検索し、当該検索された見出し語の説明情報を表示部に表示させる受信対応検索表示制御手段と、
前記連携モードではない非連携モードにおいて、前記テキスト部分受信手段により受信されたテキスト部分を保存するテキスト部分保存手段と、
前記連携モードに移行した後に、前記テキスト部分保存手段により保存されたテキスト部分に対応する見出し語を前記辞書記憶手段から検索し、当該検索された見出し語の説明情報を前記表示部に表示させる保存対応検索表示制御手段と、
を備える情報表示端末。
【０１７０】
［２］
前記非連携モードは、当該情報表示端末の入力手段のユーザ操作に応じた辞書検索処理の実行状態又は学習機能処理の実行状態又は書籍表示処理の実行状態、又は前記表示部が開かれていない状態の、何れかの状態で設定されている、［１］に記載の情報表示端末。
【０１７１】
［３］
前記情報表示端末の入力手段のユーザ操作に応じた辞書検索処理の実行状態又は学習機能処理の実行状態又は書籍表示処理の実行状態において、ユーザ操作に応じて、前記非連携モードを前記連携モードに切替する連携モード操作切替手段を備える、
［１］又は［２］に記載の情報表示端末。
【０１７２】
［４］
前記情報表示端末の表示がオフで開かれている状態で、前記外部の通信機器から受信した信号に応じて、前記連携モードに切替する連携モード受信切替手段を備える、
［１］乃至［３］の何れかに記載の情報表示端末。
【０１７３】
［５］
前記受信されたテキスト部分と前記検索された見出し語とを対応付けて登録するテキスト部分登録手段と、
前記テキスト部分登録手段により登録された前記テキスト部分と前記検索された見出し語とをユーザ操作に応じて前記表示部に表示させる登録テキスト部分表示制御手段と、
を備えた［１］乃至［４］の何れかに記載の情報表示端末。
【０１７４】
［６］
前記テキスト部分登録手段は、前記検索された見出し語にユーザ操作に応じて付加されるチェックマークを付けて登録するチェック付き見出し語登録手段を有し、
前記登録テキスト部分表示制御手段は、前記チェック付き見出し語登録手段によりチェックマーク付きで登録された見出し語を表示対象にするか否かを設定する表示対象設定手段を有し、前記テキスト部分登録手段により登録された前記テキスト部分と前記検索された見出し語とを前記表示対象設定手段による表示対象の設定に従って前記表示部に表示させる、
［５］に記載の情報表示端末。
【０１７５】
［７］
前記テキスト部分受信手段は、前記外部の通信機器と通信接続された際に、当該通信機器において指定され保存されていたテキスト部分を受信する保存テキスト部分受信手段を有する、
［１］乃至［６］の何れかに記載の情報表示端末。
【０１７６】
［８］
外部の通信機器において指定されたテキスト部分を受信し、
前記通信機器と連携する連携モードにおいて、前記受信されたテキスト部分に対応する見出し語を、見出し語と当該見出し語の説明情報とを複数組み対応付けた辞書データを記憶している辞書記憶手段から検索し、当該検索された見出し語の説明情報を表示部に表示させ、
前記連携モードではない非連携モードにおいて、前記受信されたテキスト部分を保存し、
前記連携モードに移行した後に、前記保存されたテキスト部分に対応する見出し語を前記辞書記憶手段から検索し、当該検索された見出し語の説明情報を前記表示部に表示させる、情報表示方法。
【０１７７】
［９］
コンピュータを、
外部の通信機器において指定されたテキスト部分を受信するテキスト部分受信手段、
前記通信機器と連携する連携モードにおいて、前記テキスト部分受信手段により受信されたテキスト部分に対応する見出し語を、見出し語と当該見出し語の説明情報とを複数組み対応付けた辞書データを記憶している辞書記憶手段から検索し、当該検索された見出し語の説明情報を表示部に表示させる受信対応検索表示制御手段、
前記連携モードではない非連携モードにおいて、前記テキスト部分受信手段により受信されたテキスト部分を保存するテキスト部分保存手段、
前記連携モードに移行した後に、前記テキスト部分保存手段により保存されたテキスト部分に対応する見出し語を前記辞書記憶手段から検索し、当該検索された見出し語の説明情報を前記表示部に表示させる保存対応検索表示制御手段、
として機能させるためのコンピュータ読み込み可能なプログラム。
【符号の説明】
【０１７８】
１０  …辞書端末
１４  …キー入力部
１４ａ…連携処理キー
１５  …タッチパネル付き表示部
１６  …ＣＰＵ
１７  …記憶部
１７ａ…情報表示制御プログラム
１７ｂ…辞書データベース
１７ｃ…通信機器連携用テキスト部分データエリア
１７ｄ…履歴データエリア
１７ｅ…テキスト帳データエリア
２０  …近距離無線通信部（Bluetooth）
３０  …通信機器（スマートフォン、タブレット端末など）
３３ｂ…辞書端末連携処理アプリケーション
３３ｃ…辞書端末連携用テキスト部分データエリア
４０  …Ｗｅｂサーバ（辞書サーバなど）
Ｎ    …通信ネットワーク（インターネットなど）
Ｇｔ  …テキスト画面
Ｆ    …転送キー
Ｇｆ  …テキスト転送検索画面
ａｔ  …テキストエリア
ａｋ  …検索結果エリア
ａｅ  …プレビューエリア
ｄｔｎ…辞書選択タグ
ｓｔｎ…検索方法選択タグ
【図１】
2018049515.tif 000003
【図２】
2018049515.tif 000004
【図３】
2018049515.tif 000005
【図４】
2018049515.tif 000006
【図５】
2018049515.tif 000007
【図６】
2018049515.tif 000008
【図７】
2018049515.tif 000009
【図８】
2018049515.tif 000010
【図９】
2018049515.tif 000011
【図１０】
2018049515.tif 000012
【図１１】
2018049515.tif 000013
【図１２】
2018049515.tif 000014
【図１３】
2018049515.tif 000015
【図１４】
2018049515.tif 000016
【図１５】
2018049515.tif 000017
【図１６】
2018049515.tif 000018
【図１７】
2018049515.tif 000019
【図１８】
2018049515.tif 000020
【図１９】
2018049515.tif 000021
【図２０】
2018049515.tif 000022
【図２１】
2018049515.tif 000023
【図２２】
2018049515.tif 000024
【手続補正書】
【提出日】平成29年11月20日(2017.11.20)
【手続補正２】
【補正対象書類名】明細書
【補正対象項目名】０００１
【補正方法】変更
【補正の内容】
【０００１】
本発明は、情報を検索する情報検索装置、情報検索システム、情報検索方法、及びその制御プログラムに関する。
【手続補正３】
【補正対象書類名】明細書
【補正対象項目名】０００６
【補正方法】変更
【補正の内容】
【０００６】
本発明は、このような課題に鑑みなされたもので、外部の通信機器と無線連携するモードに強制的に移行されてしまうことなく、当該通信機器から送信された内容に関する情報を確実に辞書で検索して表示させることが可能になる情報検索装置、情報検索システム、情報検索方法、及びその制御プログラムを提供することを目的とする。
【手続補正４】
【補正対象書類名】明細書
【補正対象項目名】０００７
【補正方法】変更
【補正の内容】
【０００７】
本発明に係る情報検索装置は、外部機器からテキストデータを受信した際に、前記テキストデータに関わらない或る処理が実行中でない場合に、前記受信したテキストデータを保存領域に保存することなく、前記受信したテキストデータに対応する情報を記憶手段から検索して出力する第１の検索制御手段と、外部機器からテキストデータを受信した際に、前記或る処理が実行中であった場合に、前記或る処理の実行を中断することなく、前記受信したテキストデータを前記保存領域に保存する保存制御手段と、前記或る処理が実行中でなく、かつ、前記保存領域にテキストデータが保存されている場合に、前記保存されているテキストデータに対応する情報を前記記憶手段から検索して出力する第２の検索制御手段と、を備えている。
【手続補正５】
【補正対象書類名】特許請求の範囲
【補正対象項目名】全文
【補正方法】変更
【補正の内容】
【特許請求の範囲】
【請求項１】
外部機器からテキストデータを受信した際に、前記テキストデータに関わらない或る処理が実行中でない場合に、前記受信したテキストデータを保存領域に保存することなく、前記受信したテキストデータに対応する情報を記憶手段から検索して出力する第１の検索制御手段と、
外部機器からテキストデータを受信した際に、前記或る処理が実行中であった場合に、前記或る処理の実行を中断することなく、前記受信したテキストデータを前記保存領域に保存する保存制御手段と、
前記或る処理が実行中でなく、かつ、前記保存領域にテキストデータが保存されている場合に、前記保存されているテキストデータに対応する情報を前記記憶手段から検索して出力する第２の検索制御手段と、
を備える情報検索装置。
【請求項２】
前記保存領域は、複数のテキストデータを記憶可能であり、
前記保存制御手段は、外部機器からテキストデータを受信した際に、前記或る処理が実行中であった場合に、前記受信したテキストデータを前記保存領域に追加して保存し、
前記第２の検索制御手段は、前記保存されている複数のテキストデータに対応する情報を前記記憶手段から検索して出力する、請求項１に記載の情報検索装置。
【請求項３】
前記第２の検索制御手段により検索を実行したテキストデータを、前記保存領域から削除する、請求項１または２に記載の情報検索装置。
【請求項４】
前記第１の検索制御手段は、外部機器からテキストデータを受信した際に、前記或る処理が実行中でなく、かつ、表示部が開かれている場合に、前記受信したテキストデータを前記保存領域に保存することなく、前記受信したテキストデータに対応する情報を記憶手段から検索して前記表示部に出力し、
前記保存制御手段は、外部機器からテキストデータを受信した際に、前記或る処理が実行中、または、前記表示部が開かれていない場合に、前記或る処理の実行を中断することなく、前記受信したテキストデータを前記保存領域に保存し、
前記第２の検索制御手段は、前記或る処理が実行中でなく、かつ、前記表示部が開かれており、かつ、前記保存領域にテキストデータが保存されている場合に、前記保存されているテキストデータに対応する情報を前記記憶手段から検索して前記表示部に出力する、請求項１乃至３のいずれか一項に記載の情報検索装置。
【請求項５】
外部機器と連携した処理が可能な連携モードと、前記連携モードではない非連携モードと、を選択的に設定可能であり、
前記連携モードは、前記或る処理が実行中でなく、かつ、表示部が開かれている場合に設定され、
前記非連携モードは、前記或る処理が実行中、または、前記表示部が開かれていない場合に設定され、
前記第１の検索制御手段は、外部機器からテキストデータを受信した際に、前記連携モードが設定されている場合に、前記受信したテキストデータを前記保存領域に保存することなく、前記受信したテキストデータに対応する情報を記憶手段から検索して出力し、
前記保存制御手段は、外部機器からテキストデータを受信した際に、前記非連携モードが設定されている場合に、前記或る処理の実行を中断することなく、前記受信したテキストデータを前記保存領域に保存し、
前記第２の検索制御手段は、前記連携モードが設定されており、かつ、前記保存領域にテキストデータが保存されている場合に、前記保存されているテキストデータに対応する情報を前記記憶手段から検索して出力する、請求項１乃至４のいずれか一項に記載の情報検索装置。
【請求項６】
操作部を備え、
前記操作部によるユーザ操作に応じて前記非連携モードから前記連携モードへ移行させ、
前記操作部によるユーザ操作が行われなくとも、外部機器から連携動作に関する信号を受信した場合に、パワーオフ状態で前記表示部が開かれている場合には、前記非連携モードから前記連携モードへ移行させる、請求項５に記載の情報検索装置。
【請求項７】
操作部を備え、
前記操作部によるユーザ操作に応じて前記連携モードから前記非連携モードへ移行させ、
前記或る処理は、前記操作部によるユーザ操作に応じて実行される、辞書検索処理又は学習機能処理又は書籍表示処理のうちのいずれかである、請求項５または６に記載の情報検索装置。
【請求項８】
前記受信されたテキストデータと前記検索された情報とを対応付けて登録する登録手段と、
前記登録手段により登録された前記テキストデータと前記検索された情報とをユーザ操作に応じて表示部に表示させる表示制御手段と、
を備えた請求項１乃至７のいずれか一項に記載の情報検索装置。
【請求項９】
前記記憶手段は、見出し語と前記見出し語の説明情報とを複数組み対応付けた辞書データを記憶している辞書記憶手段であり、
前記第１の検索制御手段および前記第２の検索制御手段は、受信または保存されているテキストデータに対応する見出し語を前記辞書記憶手段から検索し、前記検索された見出し語の説明情報を出力させる、請求項１乃至８のいずれか一項に記載の情報検索装置。
【請求項１０】
前記登録手段は、前記検索された見出し語にユーザ操作に応じて付加されるチェックマークを付けて登録するチェック付き見出し語登録手段を有し、
前記表示制御手段は、前記チェック付き見出し語登録手段によりチェックマーク付きで登録された見出し語を表示対象にするか否かを設定する表示対象設定手段を有し、前記登録手段により登録された前記テキストデータと前記検索された見出し語とを前記表示対象設定手段による表示対象の設定に従って前記表示部に表示させる、
請求項８に記載の情報検索装置。
【請求項１１】
前記外部機器と、請求項１乃至１０のいずれか一項に記載の情報検索装置を含む検索システムであって、
前記外部機器は、表示されたテキストデータの一部が検索対象として指定された場合に、前記指定された一部のテキストデータをテキスト部分データとして前記情報検索装置に送信し、
前記情報検索装置は、前記外部機器から受信した前記テキスト部分データを対象として検索を実行する、
ことを特徴とする情報検索システム。
【請求項１２】
前記外部機器は、表示されたテキストデータの一部が検索対象として指定された場合に、前記情報検索装置と通信接続されていない場合には、前記指定された一部のテキストデータを前記外部機器の保存手段に保存し、前記情報検索装置と通信接続された際に、前記外部機器の保存手段に保存されていた一部のテキストデータを前記情報検索装置に送信する、請求項１１に記載の情報検索システム。
【請求項１３】
外部機器からテキストデータを受信した際に、前記テキストデータに関わらない或る処理が実行中でない場合に、前記受信したテキストデータを保存領域に保存することなく、前記受信したテキストデータに対応する情報を記憶手段から検索して出力し、
外部機器からテキストデータを受信した際に、前記或る処理が実行中であった場合に、前記或る処理の実行を中断することなく、前記受信したテキストデータを前記保存領域に保存し、
前記或る処理が実行中でなく、かつ、前記保存領域にテキストデータが保存されている場合に、前記保存されているテキストデータに対応する情報を前記記憶手段から検索して出力する、情報検索方法。
【請求項１４】
コンピュータに、
外部機器からテキストデータを受信した際に、前記テキストデータに関わらない或る処理が実行中でない場合に、前記受信したテキストデータを保存領域に保存することなく、前記受信したテキストデータに対応する情報を記憶手段から検索して出力する処理と、
外部機器からテキストデータを受信した際に、前記或る処理が実行中であった場合に、前記或る処理の実行を中断することなく、前記受信したテキストデータを前記保存領域に保存する処理と、
前記或る処理が実行中でなく、かつ、前記保存領域にテキストデータが保存されている場合に、前記保存されているテキストデータに対応する情報を前記記憶手段から検索して出力する処理と、
を実行させるプログラム。